(57)【要約】【課題】角型鋼材の端部に取り付け、角型鋼材の端部を位置決め固定するために最適な角型鋼材用端部固定部材を提供する。【解決手段】金属製プレートを平行な二本の線に沿って折り曲げ、更に前記折り曲げ線と平行な線に沿って前記二本の線の外側部分を反対側に折り曲げることで、角型鋼材Ｂの空洞断面に適応する嵌め込み部１と、止着翼２，２とを形成する。嵌め込み部１には、コの字に沿って中央に連続した帯状の窪みによる逃げ凹部３，３を設けると共に、鋼材Ｂの嵌め込み方向に対する逃げ凹部４，４を切り欠き形成する。【選択図】    図１
2004324103.tif 000002
【特許請求の範囲】
【請求項１】
角型鋼材を平行に配置して壁や床、天井などの下地を形成し、その下地に壁材や床材を直接貼り付ける施工方法で使用される角型鋼材に対し、その角型鋼材の端部を位置決め固定する部材であって、角型鋼材の端部からその角型鋼材の中空部内に挿入される嵌め込み部と、その嵌め込み部の端縁両側に張り出し形成される止着翼とを備えた角型鋼材用端部固定部材。
【請求項２】
嵌め込み部と止着翼とが１枚の金属製プレートを折り曲げて一体形成される請求項１に記載の角型鋼材用端部固定部材。
【請求項３】
嵌め込み部における嵌め込み方向と直交する面に対し、互いに向き合ったいずれか一辺のそれぞれ中央と四隅全ての各部分に逃げ凹部を形成した請求項１又は２に記載の角型鋼材用端部固定部材。
【発明の詳細な説明】
【０００１】
【発明の属する技術分野】
本発明は、角型鋼材の端部を位置決め固定する角型鋼材用端部固定部材に関する。
【０００２】
【従来の技術】
近年、角型鋼材を平行に配置して壁やスラブの下地を形成し、その下地の表裏両面に壁材や床材を直接貼り付ける施工方法が急速に普及しつつある。
この施工方法では、鉄骨骨組みに対して角型鋼材を複数箇所で連結し、端部を専用の部材で位置決め固定させている。
この端部を位置決め固定させる部材としては、従来、図６のａに示すように、コ字状に折り曲げ形成された保持部１３の両サイドに止着板１４、１４を切り起こし形成し、図６のｂに示すように、前記保持部１３を構成する一対の挟持板１３ａ，１３ａにて角型鋼材Ｂの端部を挟み込み保持し、止着板１４を土台１５などに固定する金具が利用されている。
【０００３】
【発明が解決しようとする課題】
下地は、角型鋼材を上下、或いは左右の端から端まで複数本を並行に配置して形成するが、出入り口や窓が設けられるエリアでは、予め開口部分を確保しておかなくてはならない。
その場合、下地と窓やドアの枠との間に隙間が形成されないように、土台に設けたランナーに突き当てて配置する場合と同様、前記部材は角型鋼材の端部を窓やドアの枠に揃えて配置するには好都合といえる。
しかし角型鋼材の外面に挟持板が密着しているので、下地に床材や壁材を貼り付けた場合、端縁部が挟持板の厚み分浮き上がってしまう。
又、保持部は挟持板を角型鋼材の外面に密着させただけであるとずれる虞があるため、ずれ止め手段が必要であるばかりか、露出した挟持板が煙害、塩害などによって腐食する虞れもあるため、耐久性が問題となっている。
【０００４】
【課題を解決するための手段】
本発明は、角型鋼材を平行に配置して壁や床、天井などの下地を形成し、その下地に壁材や床材を直接貼り付ける施工方法で使用する角型鋼材の端部を位置決め固定する既存の金具が有する欠点を、簡易且つ効果的に解消することを目的としたものであって、その構成は、角型鋼材の端部より中空部内に挿入される嵌め込み部とその嵌め込み部の端縁両側に張り出し形成される止着翼とを備えた角型鋼材用端部固定部材にある。
【０００５】
そして前記角型鋼材用端部固定部材は、金属板を折り曲げて一体形成することができ、又、嵌め込み部における嵌め込み方向と直交する面に対し、互いに向き合ったいずれか一辺のそれぞれ中央と四隅全ての部分に逃げ凹部を形成することができる。
【０００６】
【発明の実施の形態】
本発明に係る角型鋼材用端部固定部材の実施例を図面に基づいて説明する。
図１のａにおいて、Ａは、一枚の金属製プレートをプレス加工により成型された角型鋼材用端部固定部材であって、コ字状に折り曲げられた嵌め込み部１と、その嵌め込み部１の端縁両側に張り出し形成された止着翼２，２とで構成される。
【０００７】
前記嵌め込み部１は、角型鋼材Ｂの内周断面形状に適合した大きさに調整され、コの字に沿って中央に連続した帯状の窪みを設けることで、剛性の確保と、角型鋼材Ｂの嵌め込み方向に対する逃げ凹部３，３の形成とを図ると共に、角型鋼材Ｂの嵌め込み方向と直行する面の四隅にも逃げ凹部４，４を設けたものとなっている。
【０００８】
このように形成された角型鋼材用端部固定部材Ａは、図１のｂに示すように、嵌め込み部１を角型鋼材Ｂの端部開口部内に嵌め込むだけで、角型鋼材Ｂの端部にしっかり取り付けることができ、位置決めが済んだら止着翼２に釘を打ち付け、土台などに固定させる。
尚作業状況に応じ、角型鋼材に角型鋼材用端部固定部材を取り付けてから、その角型鋼材用端部固定部材が取り付けられた角型鋼材を位置決めするばかりでなく、予め位置決め固定させた角型鋼材用端部固定部材に角型鋼材を取り付けることもできる。
【０００９】
角型鋼材Ｂは、現行の製品を見る限り長手方向に１本の継ぎ目５が残されており、その継ぎ目５は、隅角部或いは一辺の中央内面において、重ね合わせ部分を折り返してかしめ処理したものとなっている。
それに対して前記した角型鋼材用端部固定部材Ａには、嵌め込み部１における嵌め込み方向と直行する面に対し、互いに向き合った辺のそれぞれ中央と四隅の各部分に逃げ凹部３，３，４，４が形成されているので、嵌め込み部１と角型鋼材Ｂの開口部とがどのような位置関係になろうとも、いずれかの逃げ凹部３，３，４，４のいずれかが継ぎ目５に対応し、ぴったりと嵌め込むことができる（図２のａ、ｂ）。
そして角型鋼材に取り付けられた角型鋼材用端部固定部材は、嵌め込み部が角型鋼材内にすっぽりと隠れて表出しないので、壁材などを角型鋼材の外面に直接密着させることが可能となり、又、壁や床板の端縁部が浮き上がってしまうことがなくなる。
【００１０】
更に、嵌め込み部が角型鋼材内に嵌め込まれることで、ずれ止めが不要となるばかりか、角型鋼材内に嵌め込まれた嵌め込み部が外部から保護されるので、少なくともその部分には防錆処理などを施す必要がない。
【００１１】
前記実施例は１枚の金属製プレートを折り曲げ形成したものであるので、コストが安く形成も容易であるが、複数の部材を組み合わせて一体化したり、嵌め込み部を直方体プラスチック材で形成するなど適宜変更することができる。
又、逃げ凹部は対向するいずれか一辺のそれぞれ中央と四隅全ての計６カ所に設ければ、継ぎ目の位置に関係なく自由に嵌め合わせできるが、使用する角型鋼材の種類を統一することにより、いずれか一カ所のみに設けたものでも実用性は高い。
【００１２】
尚余談ではあるが、角型鋼材を梁に連結する手段としては図３に示す、建築用鉄骨連結部材Ｃが好適利用される。
この建築用鉄骨連結部材Ｃは、保持部６に角型鋼材Ｂを嵌め込むと共に、係止翼７，７を軽く折り曲げることによってＨ形鋼８に溶接されたＴ字鋼９に仮止めし、その状態で位置決めをしなくてはならない。
その位置決めをしている間、従来は、角型鋼材Ｂが保持部６から外れないよう、シャコ万（図示せず）と称される万力状の治具で保持部を外側より締着させ、位置決めが完了したら係止翼７，７を強く折り曲げることでＴ字鋼９に対して確実に固定し、保持部６に嵌め込まれた角型鋼材Ｂをねじ１０，１０によって固定していた。
前記治具は、着脱する度にねじ送りで締着板を開閉操作しなくてはならないので数が多くなると煩雑極まりない。
【００１３】
位置決めする間、前記治具に代え、バネ板を折り曲げ形成した仮止め補助具を利用すれば、作業性を向上させることができる。
図４の（ａ），（ｂ）は仮止め補助具の具体例であるクリップ部材を示したもので、クリップ部材１１の挟持面は滑り止めシート１２，１２の貼着により滑り止め処理されており、このようなクリップ部材１１であれば、バネ作用での挟持板１１ａ，１１ｂにより角型鋼材Ｂを建築用鉄骨連結部材Ｃごと挟み込むことができ、滑り止めシート１２、１２によってずれ止めも万全といえる。
尚ずれ止めは、滑り止めシートの貼着以外に、細粒の接着、粗面加工などを採用できる。
【００１４】
前記クリップ部材は、挟持板の開閉操作にかなりの力を要するが、図５のａ，ｂ，ｃに示すように、一方の挟持板１１ａに対し、他方の挟持板１１ｂを短く形成すれば、角型鋼材Ｂ（建築用鉄骨連結部材Ｃ）にあてがった長い方の挟持板１１ａの先を支点にし、短い方の挟持板１１ｂを押し当てながら滑らせることで軽い力で嵌め込むことができる。
【００１５】
【発明の効果】
本発明によれば、嵌め込み部が露出しないので、防錆処理は張り出し翼のみに設けるだけで済む。
又、逃げ凹部を設けたことにより、継ぎ目がどこにあろうとも使用でき、各種の角型鋼材に対応可能となる。
【図面の簡単な説明】
【図１】本発明に係る建築用金物を示した説明図である。
【図２】取り付け状態を示した説明図である。
【図３】角型鋼材用端部固定部材の使用説明図である。
【図４】仮止め補助具の利用例を示した説明図である。
【図５】仮止め補助具の変更例を示した説明図である。
【図６】従来例の説明図である。
【符号の説明】
Ａ・・角型鋼材用端部固定部材、Ｂ・・角型鋼材、Ｃ・・建築用鉄骨連結部材、１・・嵌め込み部  ２・・止着翼、３、４・・逃げ凹部、５・・継ぎ目、６・・保持部、７・・係止翼、８・・Ｈ形鋼、９・・Ｔ字鋼、１０・・ねじ、１１・・クリップ部材、１１ａ，１１ｂ・・挟持板、１２・・滑り止めシート、１３・・保持部、１４・・止着板、１５・・土台。
【図１】
2004324103.tif 000003
【図２】
2004324103.tif 000004
【図３】
2004324103.tif 000005
【図４】
2004324103.tif 000006
【図５】
2004324103.tif 000007
【図６】
2004324103.tif 000008